(57)【要約】      （修正有）【課題】手持で操作することができ、多種処理機機能が揃られ、且つ切換が便利で、収納に便利し、構造を簡略化させ、気楽に簡単に組立、取外及び洗浄することができる手持式多機能食物処理機を提供する。【解決手段】手持式多機能食物処理機は、主機及びカップ本体を有し、カップ本体内に食物処理構造が設置され、更に主機とカップ本体との間に着脱可能に取付される減速変換カップ台座を有し、減速変換カップ台座が、伝動入力部品２０、減速構造２１及び伝動出力部品を有し、減速構造２１が伝動入力部品２０と伝動出力部品との間に接続され、伝動入力部品２０が主機の出力端と接続され、伝動出力部品がカップ本体内の食物処理構造の伝動入力端と接続される。【選択図】図２
0003208844.tif 000002
【実用新案登録請求の範囲】
【請求項１】
主機及びカップ本体を有し、カップ本体内に食物処理構造が設置され、更に前記主機とカップ本体との間に着脱可能に取付される減速変換カップ台座を有し、前記減速変換カップ台座が、伝動入力部品、減速構造及び伝動出力部品を有し、前記減速構造が伝動入力部品と伝動出力部品との間に接続され、前記伝動入力部品が前記主機の出力端と接続され、前記伝動出力部品が前記カップ本体内の食物処理構造の伝動入力端と接続される手持式多機能食物処理機。
【請求項２】
前記食物処理構造の伝動入力端を接続軸とし、前記減速変換カップ台座の伝動出力部品を回転上蓋とし、前記接続軸を前記回転上蓋に整合して対応させる、
ことを特徴とする請求項１に記載の手持式多機能食物処理機。
【請求項３】
前記接続軸と前記回転上蓋とが螺嵌の方式により相互に接続される、
ことを特徴とする請求項２に記載の手持式多機能食物処理機。
【請求項４】
前記減速構造を歯車列とし、前記歯車列が相互に噛合されるビニオンと大歯車を有し、前記ビニオンが伝動入力部品と接続され、前記大歯車が前記回転上蓋と接続される、
ことを特徴とする請求項２に記載の手持式多機能食物処理機。
【請求項５】
前記主機が筒状の外殻を有し、前記変換カップ台座の下端を該筒状外殻に整合する外嵌筐体とし、前記変換カップ台座の上端に嵌合室が形成され、前記カップ本体の底部が該嵌合室に整合して対応する、
ことを特徴とする請求項４に記載の手持式多機能食物処理機。
【請求項６】
前記食物処理構造が、ブレード構造、或いは、ジュース圧搾構造とする、
ことを特徴とする請求項１に記載の手持式多機能食物処理機。 
【考案の詳細な説明】
【技術分野】
【０００１】
本考案は食物処理機に関する。
【背景技術】
【０００２】
社会の高速発展により、人々の生活もますます豊富になり、生活品質への追求もますます高くなり、家庭で食物処理機（攪拌式ジューサー）、攪拌切断機、ジューサー、かき氷機等の多種の厨房用小型家電を使用して様々な美食を制作し、このようなライフスタイルがますます好まれてきている。しかし、従来の食物処理機機は単一的なものであるため、多種類の厨房料理への需要に満足するためには、ジューサー、かき氷機、食物処理機、攪拌式等の多種家用厨房電器製品を購入させる必要があり、これらの電器製品は、厨房の大部分の空間を占用するだけでなく、異なる食物の制作過程で絶えず異なる電器製品に変換する必要があり、且つこれらの電器製品を使用した後は、洗浄及び収納作動も多くの時間を要するものであり、これらの問題に基づき多機能の食物処理機が開発された。その中で多機能攪拌式ジューサーは、異なるナイフ・フレーム及びカップアセンブリを取り替えることにより、果汁を制作するだけでなく、抹茶も制作でき、コーヒー豆の研磨もできる。
【０００３】
現在、市場で高回転速度（少なくとも１６０００回転／分）の多機能攪拌式ジューサーが市販され、このようなジューサーの機能もそれの高回転速度において決められる。その具える機能が一般的には、攪拌及び破砕砥石、ジューサーブレードがモータから出力された高速の回動駆動で高速に回転し、ブレードが高速回転の過程でブレードの刃口により食物に絶えず衝突し、スポイラー構造の作用で食物が絶えず攪拌されて切削され、ますます細小になり、さらに食物が繊細になる。しかしながら、かき氷、細断、切片、オレンジジュース圧搾、攪拌、破砕等の食素材処理機能は、非常に高い回転速度を必要としない一方、比較的大きな出力トルクを必要するため、どのようにして従来の多機能攪拌式ジューサーにこれらの前記機能を実現するかということの改善が必要な問題である。
【考案の概要】
【考案が解決しようとする課題】
【０００４】
本考案は解決しようとする技術問題は、改善された食物処理機を提供することにある。
【課題を解決するための手段】
【０００５】
本考案はその技術問題を解決するために、以下の技術方案を採用する。
手持式多機能食物処理機は、主機及びカップ本体を有し、カップ本体内に食物処理構造が設置され、処理機が更に、前記主機とカップ本体との間に着脱可能に取付される減速変換カップ台座を有し、前記減速変換カップ台座が、伝動入力部品、減速構造及び伝動出力部品を有し、前記減速構造が伝動入力部品と伝動出力部品との間に接続され、前記伝動入力部品が前記主機の出力端と接続され、前記伝動出力部品が前記カップ本体内の食物処理構造の伝動入力端と接続される。
【０００６】
例えば、前記手持式多機能食物処理機において、前記食物処理構造の伝動入力端を接続軸とし、前記減速変換カップ台座の伝動出力部品を回転上蓋とし、前記接続軸と前記回転上蓋が整合して対応する。
【０００７】
例えば、前記手持式多機能食物処理機において、前記接続軸と前記回転上蓋が螺嵌の方式により、相互に接続される。
【０００８】
例えば、前記手持式多機能食物処理機において、前記減速構造を歯車列とし、前記歯車列が相互に噛合されるビニオンと大歯車を有し、前記ビニオンが伝動入力部品と接続され、前記大歯車が前記回転上蓋と接続される。
【０００９】
例えば、前記手持式多機能食物処理機において、前記主機が筒状の外殻を有し、前記変換カップ台座の下端を該筒状外殻に整合する外嵌筐体とし、前記変換カップ台座上端に嵌合室が形成され、前記カップ本体の底部が該嵌合室に整合して対応する。
【００１０】
例えば、前記手持式多機能食物処理機において、前記食物処理構造がブレード構造、或いは、ジュース圧搾構造とする。
【考案の効果】
【００１１】
本考案の技術方案を実施すれば、少なくとも以下の有益な効果を備える。着脱可能な減速カップ台座により主機のモータ回転速度の減速利用を実現でき、単一の食物処理機にて多方式の食物処理を実現できる。 
【図面の簡単な説明】
【００１２】
以下、以下の図面及び実施例を結合して本考案について一層説明する。
【００１３】
図１は本考案による主機、減速変換カップ台座とかき氷カップの組立見取図である。
図２は本考案による減速変換カップ台座の組立見取図である。
図３は本考案によるかき氷カップの組立見取図である。
図４は本考案によるオレンジ圧搾カップの見取図である。
図５は本考案による粉砕カップの見取図である。
図６は本考案による細断切片カップ見取図である。
【考案を実施するための形態】
【００１４】
本考案の技術的特徴、目的及び効果に対してより明瞭に理解させるために、図面を対照して詳しく本考案の実施形態について説明する。
【００１５】
図１-６の示すような手持式多機能食物処理機は、主機１及びカップ本体を有し、カップ本体内に食物処理構造が設置され、前記処理機が更に前記主機１とカップ本体との間に着脱可能に取付される減速変換カップ台座２を有し、前記減速変換カップ台座２が伝動入力部品２０、減速構造２１及び伝動出力部品を有し、前記減速構造２１が伝動入力部品２０と伝動出力部品との間に接続され、前記伝動入力部品２０が前記主機１の出力端と接続され、前記伝動出力部品が前記カップ本体内の食物処理構造の伝動入力端と接続される（伝動）。
【００１６】
従来の食物処理機は、主機１の動力を直接的にカップ本体内の食物処理構造に出力し、食物処理構造が一般的にブレード構造、或いは、ジュース圧搾構造とし、主機１から出力される回転速度の減速機能を具備しないため、このような処理機機能が全て単一であった。本方案は、通過減速変換カップ台座２により主機１の動力出力を減速してからカップ本体内の食物処理構造に伝動し、主にモータの高回転速度低トルクを高トルクの低回転速度に転変する機能を果たし、使処理機が食物を異なる方式で処理でき、例えばかき氷、細断、切片、オレンジ圧搾、攪拌、粉砕等である。主機は、従来の成熟技術を採用して、減速変換カップ台座２を取外した後、主機１はそのままとし、他の減速処理が必要ない果汁カップ、コーヒー豆磨ぎカップ、茶磨カップ等を結合して、その高回転速度の動力を直接的に出力でき、果汁圧搾、コーヒー豆磨ぎ、或いは、茶磨等の機能を実現する。
【００１７】
食物処理構造の伝動入力端を接続軸１００とし、減速変換カップ台座２の伝動出力部品を回転上蓋２２とし、接続軸１００を回転上蓋２２に整合して対応させる。かき氷カップ３を例とすると、接続軸１００の下端が機能減速変換カップ台座２の回転上蓋２２に螺嵌（回転係合）方式で接続され、接続軸１００の上端に氷駆動盤３０が設置され、接続軸１００と、この氷駆動盤３０が回転桶内に取付られた後、この回転桶を氷桶３１内に嵌入し、かき氷カップ蓋３２が氷桶３１の上部に螺嵌可能に取付らされ、更に氷桶３１の底部が減速変換カップ台座２に螺嵌可能に接続される。これにより主機１、減速変換カップ台座２とかき氷部品との組み合せが完成し、この機器がかき氷機能を具備できる。
【００１８】
氷かきの操作フローは、氷を桶内に入れ、この氷が氷駆動盤３０の駆動で回動し、回動過程でかき氷カップ蓋３２（かき氷ブレード付き）上のかき氷ブレードによりかき氷（小さな氷粒子、或いは、アイスキューブ）に切削され、氷駆動盤３０が切削の完成までスプリング圧力で氷とブレードとの接触を保持し、切削完成の後、食物処理機とかき氷部品を手で持って倒置させ、かき氷を重力で落下させる。
【００１９】
この外に、オレンジ圧搾カップ４、粉砕カップ５、細断切片カップ６等がそれぞれ接続軸１００により減速変換カップ台座２の回転上蓋２２と接続されることで、カップ本体内の食物処理構造は減速後の主機動力を取得させる。その中で接続軸１００と回転上蓋２２とが更に他の係合方式により相互に接続されてもよく、或いは、直接外嵌の方式等を採用でき、螺嵌の方式に限らない。
【００２０】
減速構造２１は、従来の機械分野でよく見られる構造とするが、本方案は、歯車列を例とし、歯車列が相互に噛合されるビニオンと大歯車を有し、ビニオンが伝動入力部品２０と接続され、大歯車が回転上蓋２２と接続され、ビニオン、大歯車の伝動変化により、主機１の回転速度を低くさせて回転上蓋２２に出力される。
【００２１】
主機１が筒状の外殻を有し、変換カップ台座の下端が該筒状外殻に整合する外嵌筐体とし、変換カップ台座の上端に嵌合室が形成され、カップ本体の底部が該嵌合室に整合して対応され、カップ本体がかき氷カップ３、オレンジ圧搾カップ４、粉砕カップ５、細断切片カップ６のうちの、或いは、多種を含む。
【００２２】
以上の記載は本考案の好ましい実施例だけであり、本考案を制限せず、当業者にとって、本考案は各種の更改、組み合せ及び変化を行うことができる。凡そ本考案の精神及び要旨内で、実行される如何なる修正、等同の取替及び改善等が、何れも本考案の請求項範囲内に包含すべきである。
【符号の説明】
【００２３】
１…主機、
１００…接続軸、
２…減速変換カップ台座、
２０…伝動入力部品、 
２１…減速構造、
２２…回転上蓋、
３…かき氷カップ、
３０…氷駆動盤、
３１…氷桶、
３２…かき氷カップ蓋、
４…オレンジ圧搾カップ、
５…粉砕カップ、
６…細断切片カップ。
【図１】
0003208844.tif 000003
【図２】
0003208844.tif 000004
【図３】
0003208844.tif 000005
【図４】
0003208844.tif 000006
【図５】
0003208844.tif 000007
【図６】
0003208844.tif 000008
【手続補正書】
【提出日】平成28年12月9日(2016.12.9)
【手続補正１】
【補正対象書類名】明細書
【補正対象項目名】００１３
【補正方法】変更
【補正の内容】
【００１３】
【図１】本考案による主機、減速変換カップ台座とかき氷カップの組立見取図である。
【図２】本考案による減速変換カップ台座の組立見取図である。
【図３】本考案によるかき氷カップの組立見取図である。
【図４】本考案によるオレンジ圧搾カップの見取図である。
【図５】本考案による粉砕カップの見取図である。
【図６】本考案による細断切片カップ見取図である。